(57)【要約】【課題】余計な記録媒体の容量を消費すること無く、ユーザが普段視聴している番組の見逃しを確実に防ぐ。【解決手段】電子番組表データ１０７を記憶する電子番組情報記憶部１０１と、ユーザが所定の時間以上視聴したチャンネルと前記電子番組表データ１０７に基づいてユーザが視聴した番組の番組情報を特定する視聴監視部１０２と、前記番組情報を記憶する視聴履歴記憶部１０３と、前記番組情報からユーザの視聴パターンを抽出する視聴パターン抽出部１０４と、前記視聴パターンと前記ＥＰＧデータ１０７を対照してユーザの視聴パターンに合致する番組があるかを判定し、合致する番組があるのにユーザが当該番組を視聴していない場合のみ、当該番組の録画を録画装置に指示する通知制御部１０５を備えた自動録画指示装置を構成する。【選択図】図１
2007067618.tif 000002
【特許請求の範囲】
【請求項１】
電子番組表データを記憶する電子番組情報記憶部と、
ユーザが所定の時間以上視聴したチャンネルと前記電子番組表データに基づいてユーザが視聴した番組の番組情報を特定する視聴監視部と、
前記番組情報を記憶する視聴履歴記憶部と、
前記番組情報からユーザの視聴パターンを抽出する視聴パターン抽出部と、
前記視聴パターンと前記電子番組表データを対照してユーザの視聴パターンに合致する番組があるかを判定し、合致する番組がある場合、ユーザが前記番組のチャンネルを視聴していなければ、録画装置に対し前記番組の録画指示を通知する通知制御部と
を備えることを特徴とする自動録画指示装置。
【請求項２】
前記通知制御部は、前記録画指示の内容を外部機器に対して通知することを特徴とする請求項１記載の自動録画指示装置。
【請求項３】
前記通知制御部は、ユーザが前記録画指示の対象となった番組と異なる番組を視聴していた場合に、自動録画を実行する旨の通知を表示することを表示装置に指示することを特徴とする請求項１記載の自動録画指示装置。
【請求項４】
請求項１ないし請求項３のいずれかに記載の自動録画指示装置を内蔵したことを特徴とするテレビジョン受像機。
【請求項５】
請求項１ないし請求項３記載のいずれかに記載の自動録画指示装置からの前記録画指示を受信する録画指示受信部と、
番組を録画する録画部と、
前記録画指示受信部が受信した録画指示を解析し、自動録画を前記録画部に指示する録画制御部と、
表示装置が起動されたことを検知し、
前記自動録画が実行済みである場合、自動録画を実行した旨の通知表示を前記表示装置に指示し、
前記自動録画が実行待ちである場合、自動録画が実行待ちである旨の警告表示を前記表示装置に指示することを特徴とする録画装置。
【請求項６】
請求項１ないし請求項３のいずれかに記載の自動録画指示装置と、
請求項５に記載の録画装置を内蔵したことを特徴とするテレビジョン受像機。
【発明の詳細な説明】
【技術分野】
【０００１】
本発明は、録画装置に対し、ユーザの視聴パターンに合致する番組の録画指示を自動で通知する装置に関するものである。
【背景技術】
【０００２】
従来、ユーザが番組の見逃しを防ぐ方法として、電子番組表（Ｅｌｅｃｔｒｏｎｉｃ  Ｐｒｏｇｒａｍ  Ｇｕｉｄｅ、以下、ＥＰＧと記す）から取得した番組情報と任意のキーワードを対照して、合致する番組を予約録画するものがあった（例えば、特許文献１参照）。
【０００３】
また、ユーザの視聴状況を学習することで、普段視聴している番組を自動録画するものがあった（例えば、特許文献２参照）。
【０００４】
また、ユーザがテレビジョン受像機の近くにいない状態で番組を見逃した場合、ネットワークを介して外部機器へ見逃した番組の情報を通知し、その通知に対して予約録画要求を返信することで番組の見逃しを防ぐものがあった（例えば、特許文献３参照）。
【特許文献１】特開２００１−２７５０６７号公報
【特許文献２】特開２０００−２３０７４号公報
【特許文献３】特開２００４−１２８８７４号公報
【発明の開示】
【発明が解決しようとする課題】
【０００５】
しかしながら、特許文献１に記載された前記従来の構成では、ユーザの視聴状態に関わらず、ユーザの趣向と合致する番組は全て自動的に録画するため、ユーザが録画を必要としていない番組まで録画することとなり、余計な記録媒体の容量を消費してしまうという課題を有していた。
【０００６】
また、特許文献２記載の構成においては、自動的に録画する番組の特定手段がユーザの視聴時刻のみで判断するため、例えば毎週放送されている番組をユーザが途中から視聴した場合、次回放送時に番組の開始時刻に合わせて録画が開始されないという課題を有していた。
【０００７】
また、特許文献３記載の構成においては、ユーザが通知自体に気付かなければ、予約録画を要求することができず、番組の見逃しが発生してしまうという課題を有していた。
【０００８】
本発明は、前記従来の課題を解決するもので、ユーザが普段視聴している番組を見逃した場合にのみ、自動的に当該番組を録画することで、余計な記録媒体の容量を消費すること無く、番組の見逃しを確実に防ぐ方法を目的とした自動録画指示装置を提供することを目的とする。
【課題を解決するための手段】
【０００９】
前記従来の課題を解決するために、本願の請求項１にかかる自動録画指示装置は、ＥＰＧデータを記憶する電子番組情報記憶部と、ユーザが所定の時間以上視聴したチャンネルと前記ＥＰＧデータに基づいてユーザが視聴した番組の番組情報を特定する視聴監視部と、前記番組情報を記憶する視聴履歴記憶部と、前記番組情報からユーザの視聴パターンを抽出する視聴パターン抽出部と、前記視聴パターンと前記ＥＰＧデータを対照してユーザの視聴パターンに合致する番組があるかを判定し、合致する番組がある場合、ユーザが当該番組のチャンネルを視聴していなければ、録画装置に対し前記番組の録画指示を通知する通知制御部とを備える。
【００１０】
本構成によって、ユーザが普段視聴している番組を見逃した場合にのみ、録画装置に対し前記番組の録画指示を通知することができる。
【００１１】
また、本願の請求項２にかかる自動録画指示装置は、請求項１記載の自動録画指示装置において、前記通知制御部が、前記録画指示の内容を外部機器に対して通知する構成である。
【００１２】
本構成によって、ユーザは表示装置の近くにいることなく、番組の見逃しを知ることができる。
【００１３】
また、本発明の請求項３にかかる自動録画指示装置は、請求項１記載の自動録画指示装置において、前記通知制御部が、ユーザが前記録画指示の対象となった番組と異なる番組を視聴していた場合に、自動録画を実行する旨の通知を表示することを表示装置に指示する構成である。
【００１４】
本構成によって、ユーザは普段視聴している番組と異なる番組を視聴している場合、番組の見逃しを知ることができる。
【００１５】
また、本願の請求項４にかかるテレビジョン受像機は、請求項１ないし請求項３のいずれかに記載の自動録画指示装置を内蔵した構成である。
【００１６】
本構成によって、ユーザが普段視聴している番組を見逃した場合、テレビジョン受像機から録画装置に対し当該番組の録画指示を通知することができる。
【００１７】
また、本願の請求項５にかかる録画装置は、請求項１ないし請求項３記載の自動録画指示装置からの前記録画指示を受信する録画指示受信部と、番組を録画する録画部と、前記録画指示受信部が受信した録画指示を解析し、自動録画を前記録画部に指示する録画制御部と、表示装置が起動されたことを検知し、前記自動録画が実行済みである場合、自動録画を実行した旨の通知表示を前記表示装置に指示し、前記自動録画が実行待ちである場合、自動録画が実行待ちである旨の警告表示を前記表示装置に指示する構成である。
【００１８】
本構成によって、ユーザが普段視聴している番組を見逃した場合にのみ、当該番組を自動的に録画し、ユーザは自動録画の実行を知ることができる。
【００１９】
また、本願の請求項６にかかるテレビジョン受像機は、請求項１ないし請求項３のいずれかに記載の自動録画指示装置と、請求項５に記載の録画装置を内蔵した構成である。
【００２０】
本構成によって、ユーザが普段視聴している番組を見逃した場合、テレビジョン受像機のみで当該番組を自動的に録画し、ユーザは自動録画の実行を知ることができる。
【発明の効果】
【００２１】
本発明の自動録画指示装置によれば、ユーザが普段視聴している番組を見逃した場合にのみ、自動的に当該番組を録画することで、余計なメモリ容量を消費すること無く、番組の見逃しを確実に防ぐことができる。
【発明を実施するための最良の形態】
【００２２】
以下、本発明の実施の形態について、図面を参照しながら説明する。
【００２３】
（実施の形態１）
図１は、本発明の実施の形態１における自動録画指示装置の全体構成を示すブロック図である。
【００２４】
自動録画指示装置１００は、電子番組情報記憶部１０１、視聴監視部１０２、視聴履歴記憶部１０３、視聴パターン抽出部１０４、通知制御部１０５を具備している。
【００２５】
図１において、電子番組情報記憶部１０１は、アンテナを通じて配信されるＥＰＧ（Ｅｌｅｃｔｒｏｎｉｃ  Ｐｒｏｇｒａｍ  Ｇｕｉｄｅ）データ１０７を記憶するものである。ＥＰＧデータ１０７には各番組の放送時刻、番組名、番組カテゴリといった付加情報が含まれる。
【００２６】
視聴監視部１０２は、チャンネルが切り替わる度にチューナーから送られてくるチャンネルを保持しており、ユーザが所定の時間以上視聴したチャンネルを視聴監視部１０２が検出すると、電子番組情報記憶部１０１からＥＰＧデータ１０７を取得して、ユーザが視聴した番組と合致する番組情報をＥＰＧデータ１０７から特定するものである。前記番組情報はＥＰＧデータ１０７に含まれるチャンネル、放送時刻、曜日、番組名、番組カテゴリにより表される。
【００２７】
視聴履歴記憶部１０３は、視聴監視部１０２が特定した前記番組情報を記憶するものである。
【００２８】
視聴パターン抽出部１０４は、視聴履歴記憶部１０３に記憶されている前記番組情報から視聴パターンを抽出するものである。
【００２９】
通知制御部１０５は、視聴パターン抽出部１０４から取得した前記視聴パターンと番組情報記憶部１０１から取得したＥＰＧデータ１０７を対照してユーザの視聴パターンに合致する番組があるかを判定し、合致する番組がある場合、ユーザが当該番組のチャンネルを視聴していなければ、録画装置１０６に対し当該番組の録画指示を通知するものである。
【００３０】
また、通知制御部１０５は、前記録画指示の内容を外部機器１０９に対して通知することができる。外部機器１０９への通知方法については、インターネット１０８を介して実現する。なお、外部機器１０９は、携帯電話、パーソナルコンピュータ、ＰＤＡ（Ｐｅｒｓｏｎａｌ  Ｄｉｇｉｔａｌ  Ａｓｓｉｓｔａｎｔｓ）であってもよい。
【００３１】
また、通知制御部１０５は、ユーザが前記録画指示の対象となった番組と異なる番組を視聴していた場合に、自動録画を実行する旨の通知を表示することを表示装置１１０に指示する。なお、表示装置１１０は、テレビジョン受像機であってもよい。
【００３２】
図２は、録画装置１０６の内部構成を示すブロック図である。図２に示すように、録画装置１０６は、録画指示受信部２０１、録画制御部２０２、録画部２０３を具備している。
【００３３】
図２において、録画指示受信部２０１は、自動録画指示装置１００からの前記録画指示を受信するものである。
【００３４】
録画制御部２０２は、録画指示受信部２０１が受信した録画指示を解析し、自動録画を録画部２０３に指示するものである。
【００３５】
録画部２０３は、録画制御部２０２により指示された録画時刻に応じて記憶媒体に番組を記憶するものである。なお、記憶媒体は、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＨＤＤ（Ｈａｒｄ  Ｄｉｓｋ  Ｄｒｉｖｅ）、ＳＤ（Ｓｅｃｕｒｅｄ  Ｄｉｇｉｔａｌ  ｍｅｍｏｒｙ）カードであってもよい。
【００３６】
また、録画装置１０６は、表示装置１１０が起動されたことを検知し、前記自動録画が実行済みである場合、自動録画を実行した旨の通知表示を表示装置１１０に指示し、前記自動録画が実行待ちである場合、自動録画が実行待ちである旨の警告表示を表示装置１１０に指示する。
【００３７】
図３は、視聴監視部１０２の動作を示すフローチャートであり、ステップＳ１からステップＳ６までで構成されている。
【００３８】
図４は、視聴履歴記憶部１０３が記憶している番組情報群の一例を示す図である。
【００３９】
図４に示すように、番組情報群は、チャンネル、放送時刻、曜日、番組名、番組カテゴリから構成されている。
【００４０】
図５は、視聴監視部１０２が管理するリングバッファ内のデータ構造の一例を示す図である。
【００４１】
ここで、リングバッファ内のデータ構造について、図５を用いて説明する。図５において、リングバッファはチャンネル、視聴開始時刻、視聴終了時刻を１単位の視聴データ（たとえば、２、２１：００，２２：００が１単位の視聴データである。）として管理し、最大Ｍ個の視聴データを記憶できる配列として構成されている。Ｍの値はアーキテクチャと番組情報の特定処理を実行する時間間隔によって決定する必要がある。視聴監視部１０２は、次に視聴データを記憶させるアドレスとして書き込みインデックス５０１を記憶しており、視聴データが記憶される度に書き込みインデックス５０１をインクリメントさせる。書き込みインデックス５０１のアドレスがインデックスＭ−１を示している状況で視聴データの書き込みが行われた場合、書き込みインデックス５０１が次に示すアドレスはインデックス０で示すアドレスとなる。
【００４２】
図６は、視聴パターン抽出部１０４が生成する視聴パターンのデータ構造の一例を示す図である。
【００４３】
図６には、視聴パターン１のデータ、視聴パターン２のデータ、視聴パターン３のデータが図示されている。それぞれの詳細については後述する。
【００４４】
次に、以上のように構成された自動録画指示装置について、以下にその動作を説明する。
【００４５】
まず、視聴監視部１０２の動作について説明する。視聴監視部１０２は、ユーザがチャンネルを切り替える度、連続して視聴したチャンネルに対する視聴開始時刻と視聴終了時刻をリングバッファに記憶する。たとえば、ユーザが、２チャンネルの視聴を２１：００に開始し、２２：００に４チャンネルに切り替えたとすると、２、２１：００、２２：００がリングバッファに記憶される。ついで、ユーザが２３：００に６チャンネルに切り替えたとすると、４，２２：００、２３：００がリングバッファに記憶される。このような処理は、ユーザが視聴を続ける間、続行される。
【００４６】
また、視聴監視部１０２は、一定時間間隔、例えば３０分毎に図３のフローチャートが示す番組情報の特定処理を選局可能な全チャンネルに対しステップＳ１からステップＳ６まで実行する。ステップＳ１では、処理対象となるチャンネルについて、前回処理実行時の実行開始時刻から現在時刻までに含まれる番組のＥＰＧデータ１０７を電子番組情報記憶部１０１から取得する。取得した各番組のＥＰＧデータ１０７については、ステップＳ２からステップＳ５までをそれぞれ実行する。ステップＳ２では、処理対象となる番組について、取得したＥＰＧデータ１０７が示す放送時刻の内、リングバッファに記憶されている各チャンネルの視聴開始時刻と視聴終了時刻からユーザが視聴した時間の割合を算出する。
【００４７】
ステップＳ３では、ステップＳ２で算出された割合が所定の割合、例えば５割を超えているかを判定し、ＹＥＳであった場合はステップＳ４を実行する。
【００４８】
つまり、処理対象となる番組の放送時間のうち、５割以上の時間を視聴していた場合に、ユーザがその番組を試しに視聴して視聴を中止したのではなく、視聴意思をもって、視聴していたとみなして視聴履歴に加える処理を行う。
【００４９】
なお、所定の割合は、固定値でもよいが、ユーザが設定できるようにしてもよい。ステップＳ４では、該当する番組のＥＰＧデータ１０７の内、チャンネル、放送時刻、曜日、番組名、番組カテゴリを視聴履歴記憶部１０３に記憶する。ステップＳ５では、処理対象となるチャンネルにおいて、取得した全番組のＥＰＧデータ１０７について処理が完了しているかを判定する。ＹＥＳであった場合は、ステップＳ６を実行し、ＮＯであった場合は、残りの取得した番組に対し、再度ステップＳ２から実行する。ステップＳ６では、選局可能な全チャンネルに対し処理が完了しているかを判定する。ＹＥＳであった場合は、全処理完了とし、ＮＯであった場合は、残りの選局可能なチャンネルに対し、再度ステップＳ１から実行する。
【００５０】
以上の処理によれば、リングバッファに記憶されたユーザが連続して視聴した各チャンネルに対する視聴開始時刻と視聴終了時刻と、ＥＰＧデータから取得した番組の放送開始時刻と放送終了時刻から算出した番組の放送時間を対照することにより、ユーザが本来の視聴意思をもって視聴したとみなされる番組のみ視聴履歴として残すことができ、コマーシャル中のチャンネル切り替え等、一時的なチャンネル切り替えによりたまたま視聴した番組は、視聴履歴から除外することが可能となる。
【００５１】
次に、視聴パターン抽出部１０４における視聴パターンの抽出方法について説明する。視聴パターン抽出部１０４は、視聴履歴記憶部１０３から図４で示されるような番組情報群を取得し、各項目の組み合わせによって３通りの視聴パターンを抽出する。１通り目は、チャンネル、放送時刻、曜日を用いた抽出方法で、この抽出方法は毎週同じ曜日の同時間帯に同じチャンネルの番組を見ている場合、来週の同じ曜日の同時間帯も同じチャンネルの番組を視聴する可能性が高いという予測による抽出方法である。２通り目は、放送時刻、番組カテゴリを用いた抽出方法で、この抽出方法は放送時刻を一定の時間帯、例えば朝、昼、夜、深夜といった時間帯に分割して見立て、ある放送時間帯に視聴頻度の高い番組カテゴリが存在する場合、その放送時間帯で番組カテゴリが一致する番組は視聴される可能性が高いという予測による抽出方法である。この抽出方法により、例えば昼に放送される連続ドラマとゴールデンタイムに放送される連続ドラマを別々のパターンとして認識できる。３通り目は、番組名を用いた抽出方法で、この抽出方法は番組名に含まれる何らかのキーワードに対し視聴頻度が高い場合、そのキーワードを含む番組は視聴される可能性が高いという予測による抽出方法である。この抽出方法により、不定期に放送されるシリーズ映画などを視聴パターンとして認識できる。また、前記３通りの抽出方法によって生成される各視聴パターン（以下、それぞれ視聴パターン１、視聴パターン２、視聴パターン３と記す）には重みが存在し、偏りの大きい視聴パターンについては高い重み付けを行い、逆に偏りの小さい視聴パターンについては低い重み付けを行う。さらに、各視聴パターンに対し優先度を付け、視聴パターン１、視聴パターン２、視聴パターン３の順に優先度を高く設定する。なお、優先度の順序はユーザが設定できるようにしてもよい。
【００５２】
ここで、視聴パターンのデータ構造について、図６を用いて説明する。
【００５３】
図６に示すように、視聴パターンのデータ構造は、視聴パターン１のデータ６０１、視聴パターン２のデータ６０２、視聴パターン３のデータ６０３の３通りのデータ構造が存在する。
【００５４】
視聴パターン１のデータ６０１は、各曜日に対して縦軸にチャンネル、横軸に放送時刻を要素とした視聴割合を値とする３次元配列である。前記視聴割合とは、視聴履歴記憶部１０３に含まれる番組情報群の内、縦軸及び横軸の要素を満たす番組情報の割合を示す。
【００５５】
視聴パターン２のデータ６０２は、縦軸に番組カテゴリ、横軸にある一定の時間帯、例えば５：００から１１：００までを朝、１１：００−１８：００までを昼、１８：００−２２：００までを夜、２２：００−５：００までを深夜とする時間帯を要素とした視聴割合を値とする２次元配列である。
【００５６】
視聴パターン３のデータ６０３は、キーワードとその視聴割合を値とする２次元配列である。
【００５７】
これら視聴パターンのデータ構造の内、縦軸の要素におけるある行の視聴割合の累計が所定の割合、例えば５割を超える場合、その視聴パターンのデータは偏りの大きいパターンとみなし、重みを「高」とする。それ以外の視聴パターンのデータについては、重みを「低」とする。図６を例にとると、視聴パターン２のデータ６０２が重み「高」であり、視聴パターン１のデータ６０１、視聴パターン３のデータ６０３が重み「低」となる。
【００５８】
次に、通知制御部１０５における視聴パターンの使用方法について説明する。通知制御部１０５が視聴パターン抽出部１０４から取得した各視聴パターンに対し、電子番組情報記憶部１０１から取得したＥＰＧデータ１０７の内、その番組情報が視聴パターンのデータが示す所定の視聴割合、例えば１割以上の視聴割合の要素に当てはまる場合、その番組情報は視聴パターンに合致しているとみなす。それ以外の視聴割合の要素に当てはまる番組情報は視聴パターンには合致していない。
【００５９】
もし、ある番組が重みの高い視聴パターン１と合致した場合、視聴パターン１より優先度の低い視聴パターン２及び視聴パターン３と合致するかは判定せず、自動録画番組の対象とする。逆に、重みの高い視聴パターン１と合致しなかった場合においても、視聴パターン１より優先度の低い視聴パターン２及び視聴パターン３と合致するかは判定せず、その際は自動録画番組の対象としない。視聴パターン１の重みが低い場合のみ、視聴パターン１より優先度の低い視聴パターン２及び視聴パターン３を用いて合致しているか判定を行う。重みと優先度の関係は視聴パターン２と視聴パターン３の間においても同様であり、視聴パターン２の重みが高ければ視聴パターン３については合致するかの判定を行わない。また、全ての視聴パターンの重みが低い場合は、全ての視聴パターンについて合致すれば自動録画番組の対象とする。
【００６０】
なお、自動録画の対象となる番組が複数存在し、放送時刻が重複する場合は、視聴割合の大きい番組を優先して自動録画を行う。
【００６１】
かかる構成によれば、各視聴パターンに対し重み付けと優先度を導入することにより、視聴パターンと合致する番組は全て自動録画の対象となる課題を解決することとなり、ユーザが普段視聴している番組のみを自動録画の対象とすることができる。
【００６２】
なお、本実施の形態において、自動録画指示装置１００の通知内容を表示する装置として表示装置１１０を設けたが、自動録画指示装置と表示装置１１０を内蔵したテレビジョン受像機としても良い。
【００６３】
また、本実施の形態において、自動録画指示装置と表示装置１１０と録画装置１０６を内蔵したテレビジョン受像機としても良い。
【００６４】
（実施の形態２）
図７は、本発明の実施の形態２における自動録画指示装置の録画指示の内容を外部機器１０９に対して通知する構成を示すブロック図である。
【００６５】
外部機器１０９は、イベント解析部７０１、通知表示部７０２を具備している。その他の構成は実施の形態１の装置（図１）と変わりがない。
【００６６】
イベント解析部７０１は、自動録画指示装置１００からインターネットなどの通信ネットワーク１０８を介して送られてくる録画指示内容を解析して通知表示部７０２に対し表示内容を通知するものである。前記録画指示内容には録画日時、録画開始時刻、録画終了時刻、録画番組名が含まれる。
【００６７】
通知表示部７０２は、イベント解析部７０１から通知される表示内容をディスプレイに表示するものである。
【００６８】
なお、ディスプレイの表示内容として自動録画を中止できるＧＵＩを設けることにより、ユーザが自動録画指示装置１００からの録画指示に対して中止要求をできるようにしてもよい。
【００６９】
かかる構成によれば、自動録画指示装置１００からの録画指示の内容を外部機器１０９が解析して表示することにより、ユーザが表示装置の近くにいることなく、番組の見逃しを知ることができる。
【００７０】
（実施の形態３）
図８は、本発明の実施の形態３における自動録画指示装置の録画指示の内容を表示装置１１０に対して通知する構成を示すブロック図である。
【００７１】
表示装置１１０は、指示解析部８０１、表示部８０２を具備している。その他の構成は実施の形態１の装置（図１）と変わりがない。
【００７２】
指示解析部８０１は、自動録画指示装置１００から送られてくる録画指示内容を解析して表示部８０２に対し表示内容を通知するものである。前記録画指示内容には録画日時、録画開始時刻、録画終了時刻、録画番組名が含まれる。
【００７３】
表示部８０２は、指示解析部８０１から通知される表示内容をディスプレイに表示するものである。
【００７４】
なお、ディスプレイの表示内容として自動録画を中止できるＧＵＩを設けることにより、ユーザが自動録画指示装置１００からの録画指示に対して中止要求をできるようにしてもよい。
【００７５】
かかる構成によれば、自動録画指示装置１００からの録画指示の内容を表示装置１１０が解析して表示することにより、ユーザが録画対象となる番組以外を視聴していた場合に、番組の見逃しを知ることができる。
【００７６】
なお、本実施の形態において、自動録画指示装置と表示装置１１０を内蔵したテレビジョン受像機としても良い。
【００７７】
また、本実施の形態において、自動録画指示装置と表示装置１１０と録画装置１０６を内蔵したテレビジョン受像機としても良い。
【産業上の利用可能性】
【００７８】
本発明は、ＤＶＤレコーダ、ＨＤＤレコーダ等の録画装置に利用することができる。
【図面の簡単な説明】
【００７９】
【図１】本発明の実施の形態１における自動録画指示装置の全体構成図
【図２】本発明の実施の形態１における録画装置１０６の内部構成図
【図３】本発明の実施の形態１における視聴監視部１０２の視聴番組特定方法を示すフローチャート
【図４】本発明の実施の形態１における視聴履歴記憶部１０３に記憶される番組情報の一例を示す図
【図５】本発明の実施の形態１における視聴監視部１０２が管理するリングバッファのデータ構造の一例を示す図
【図６】本発明の実施の形態１における視聴パターン抽出部１０４が生成する視聴パターンのデータ構造の一例を示す図
【図７】本発明の実施の形態２における外部機器１０９の内部構成図
【図８】本発明の実施の形態３における表示機器１１０の内部構成図
【符号の説明】
【００８０】
１００    自動録画指示装置
１０１    電子番組情報記憶部
１０２    視聴監視部
１０３    視聴履歴記憶部
１０４    視聴パターン抽出部
１０５    通知制御部
１０６    録画装置
１０７    電子番組表データ
１０８    インターネット
１０９    外部機器
１１０    表示装置
２０１    録画指示受信部
２０２    録画制御部
２０３    録画部
２０４    自動録画指示装置
５０１    書き込みインデックス
６０１    視聴パターン１のデータ
６０２    視聴パターン２のデータ
６０３    視聴パターン３のデータ
７０１    イベント解析部
７０２    通知表示部
８０１    指示解析部
８０２    表示部
【図１】
2007067618.tif 000003
【図２】
2007067618.tif 000004
【図３】
2007067618.tif 000005
【図４】
2007067618.tif 000006
【図５】
2007067618.tif 000007
【図６】
2007067618.tif 000008
【図７】
2007067618.tif 000009
【図８】
2007067618.tif 000010